(57)【特許請求の範囲】
【請求項１】
送信機と受信機とを有するワイヤレス通信デバイスにおいて干渉消去を実行する方法であって、前記方法が、
前記送信機によって送信された干渉信号を表す基準信号を受信することと、
前記基準信号に応答して、前記受信機によって受信されたアナログ無線周波数（ＲＦ）信号に影響を及ぼす複数の干渉タイプからターゲット干渉タイプを選択することと、
前記受信機において前記アナログＲＦ信号に影響を及ぼす第１のターゲット干渉タイプのために、前記受信機によって提供されたフィードバック信号に基づくアナログフィードバックから算出された係数を使用して第１の干渉消去回路中の第１のフィルタを構成することと、ここにおいて、前記第１の干渉回路は、前記送信機によって送信された前記干渉信号の前記基本周波数における干渉を、前記アナログＲＦ信号において、消去するように構成される、
前記受信機において前記アナログＲＦ信号に影響を及ぼす第２のターゲット干渉タイプのために、前記受信機によって提供されたデジタルフィードバックに基づいて算出された係数を使用して第２の干渉消去回路中の第２のフィルタを構成することと、ここにおいて、前記第２の干渉回路は、前記干渉信号からの帯域外干渉を、前記アナログＲＦ信号において、消去するように構成される、を備える、方法。
【請求項２】
前記ターゲット干渉タイプを選択することは、
前記干渉信号の前記基本周波数における干渉があらかじめ定義されたしきい値電力レベルを超えるとき、基本周波数干渉を前記ターゲット干渉タイプとして選択することと、
前記干渉信号の前記基本周波数中の干渉が前記あらかじめ定義されたしきい値電力レベルを超えないとき、帯域外干渉を前記ターゲット干渉タイプとして選択することとを備える、請求項１に記載の方法。
【請求項３】
前記ターゲット干渉タイプが前記干渉信号の基本周波数における干渉を含み、
アナログ領域中で前記係数を算出することをさらに備える、請求項１に記載の方法。
【請求項４】
前記ターゲット干渉タイプが帯域外干渉を含み、
好ましくは前記アナログＲＦ信号のベースバンド表現から、デジタル領域中で前記係数を算出することをさらに備える、請求項１に記載の方法。
【請求項５】
前記係数をアナログ係数に変換することと、
前記アナログＲＦ信号中の前記干渉を消去するために、前記アナログ係数を前記第２の干渉消去回路に適用することとをさらに備える、請求項４に記載の方法。
【請求項６】
前記ターゲット干渉タイプが前記干渉信号の基本周波数における干渉を含み、
前記第１のフィルタに、前記ＲＦ信号を表すアナログフィードバック信号を提供することをさらに備え、
ここにおいて、前記第１のフィルタの前記出力が、前記アナログフィードバック信号を使用して生成される、請求項１に記載の方法。
【請求項７】
前記第１のフィルタが最小２乗平均フィルタを備える、請求項１に記載の方法。
【請求項８】
前記第１のフィルタを構成すること、または前記第２のフィルタを構成することが、
前記ターゲット干渉タイプに基づいて１つまたは複数のスイッチを閉じることを備え、
ここにおいて、前記１つまたは複数のスイッチの各々が、前記第１のフィルタまたは前記第２のフィルタへのフィードバックのそれぞれのタイプの提供を制御する、請求項１に記載の方法。
【請求項９】
前記１つまたは複数のスイッチのうちの第１のスイッチが、前記第１のフィルタへのフィードバックのソースを選択する、請求項８に記載の方法。
【請求項１０】
前記１つまたは複数のスイッチのうちの第２のスイッチが閉じられているとき、デジタル係数が前記第２のフィルタを制御する、請求項８に記載の方法。
【請求項１１】
前記第１のフィルタを構成することが、
前記第１のフィルタに、前記係数から生成されたベースバンドフィードバック信号を提供することを備える、請求項１に記載の方法。
【請求項１２】
前記第１のフィルタの出力を使用して前記アナログＲＦ信号中の干渉を消去する間、前記第２のフィルタの出力を使用して前記アナログＲＦ信号中の干渉を消去することをさらに備える、請求項１に記載の方法。
【請求項１３】
前記送信機からベースバンド送信信号を受信することと、
前記ベースバンド送信信号を使用して前記アナログＲＦ信号のベースバンド表現中の干渉を消去することとをさらに備え、ここにおいて、前記ベースバンド送信信号がデジタル信号を備える、請求項１に記載の方法。
【請求項１４】
無線周波数（ＲＦ）受信機に結合された干渉消去回路であって、
前記ＲＦ受信機によって提供されたフィードバック信号に基づいて、アナログフィードバックを使用して、送信機によって送信された干渉信号の基本周波数における干渉を、前記ＲＦ受信機によって受信されたアナログＲＦ信号において、消去するように構成された第１の干渉回路と、
前記ＲＦ受信機によって提供された出力信号に基づいて、デジタルフィードバックを使用して、前記干渉信号から帯域外干渉を、前記アナログＲＦ信号において、消去するように構成された第２の干渉回路と
を備える、干渉消去回路。
【請求項１５】
第１のスイッチがアクティブ化されたとき、前記第１の干渉回路にアナログフィードバックを提供することによって前記第１の干渉回路を制御するように構成された前記第１のスイッチと、ここにおいて、前記第１のスイッチが非アクティブ化されたとき、前記第１の干渉回路の動作が無効にされる、
第２のスイッチがアクティブ化されたとき、デジタル係数を使用して前記第２の干渉回路をステアリングすることによって前記第２の干渉回路を制御するように構成された前記第２のスイッチと、ここにおいて、前記第２のスイッチが非アクティブ化されたとき、前記第２の干渉回路の動作が無効にされる、をさらに備える、請求項１４に記載の干渉消去回路。
【発明の詳細な説明】
【技術分野】
【０００１】
関連出願の相互参照
[0001]本出願は、その内容全体が参照により本明細書に組み込まれる、２０１５年１月２０日に米国特許商標庁に出願された非仮出願第１４／６０１，０３８号の優先権および利益を主張する。
【０００２】
[0002]本開示は、一般に干渉消去システムおよび方法の分野に関し、詳細には、同じ周波数、隣接する周波数、高調波周波数、または相互変調積周波数上で動作する複数の無線機によって生成された干渉の消去に関する。
【背景技術】
【０００３】
[0003]高度ワイヤレスデバイスは、同じ周波数、隣接する周波数、または高調波周波数上で動作する複数の無線機を有し得る。無線機は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）、全地球測位システム（ＧＰＳ）、全地球ナビゲーション衛星システム（ＧＬＯＮＡＳＳ）など、ネットワークへのアクセスを与え得る。無線機のいくつかの組合せはそれぞれの周波数間の干渉による共存問題を引き起こすことがある。特に、ある無線機が、別の無線機が受信している同じ周波数でまたはその近くで、および同じ時間に、アクティブに送信しているとき、送信無線機は受信無線機への干渉を引き起こす（すなわち、受信無線機の感度を低下させる）ことがある。たとえば、Ｂｌｕｅｔｏｏｔｈ（登録商標）（ＷＰＡＮ）と２．４ＧＨｚ  ＷｉＦｉ（登録商標）（ＷＬＡＮ）との間で同帯域干渉が発生し得、ＷＬＡＮとロングタームエボリューション（ＬＴＥ（登録商標））帯域７、４０、４１との間で隣接帯域干渉が発生し得、５．７ＧＨｚ  ＩＳＭと１．９ＧＨｚパーソナル通信サービス（ＰＣＳ）との間で高調波干渉が発生し得、７ｘｘ  ＭＨｚとＧＰＳ受信機との間で相互変調問題が発生し得る。
【０００４】
[0004]アクティブ干渉消去（ＡＩＣ：active interference cancellation）は、図１に示されているように、ワイヤレス結合経路信号の利得および位相を整合させることによって、およびワイヤードＡＩＣ経路において、送信機無線機と受信機無線機との間の干渉を消去し、ここで、ｄtは、送信機（アグレッサ）無線機１０２からの送信信号であり、ｈcは、送信機無線機１０２から受信機（ビクティム）無線機１０４への結合チャネル（ワイヤレス結合経路信号）である。ＡＩＣ１０６は、ＡＩＣ１０６の出力上の負符号によって反映されるように、結合チャネルｈcの影響を消去することを試みる。
【０００５】
[0005]ＡＩＣは、ＲＦ（無線周波数）、ベースバンド、またはＲＦ／ベースバンドの両方に関して実装され得る。ベースバンドにおけるＡＩＣは、結合経路信号が所望の信号強度よりもはるかに強いので、一般に、限られた消去性能を示すにすぎず、その結果、ＬＮＡ（低雑音増幅器）およびＡＤＣ（アナログデジタル変換器）の飽和状態が容易に生じる。ＲＦにおけるＡＩＣはより良い消去性能を与えることができる。従来技術のＲＦ  ＡＩＣ技法は、直接チャネル推定および消去方法、２分探索結合位相、およびＬＭＳ（最小２乗平均）ベース適応フィルタ処理方法など、差分較正方法を含む。
【発明の概要】
【０００６】
[0006]以下は、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示されるより詳細な説明の導入として、本開示の１つまたは複数の態様のいくつかの概念を簡略化された形で提示することである。
【０００７】
[0007]本開示の様々な態様によれば、送信機と受信機とを有するワイヤレス通信デバイスにおいて干渉消去を実行する方法は、送信機によって送信された干渉信号を表す基準信号を受信することと、受信機によって受信されたＲＦ信号に影響を及ぼす複数の干渉タイプのうちの１つから第１のターゲット干渉タイプを選択することと、第１のターゲット干渉タイプに基づいて算出された係数を使用して干渉消去回路の第１のフィルタを構成することと、第１のフィルタの出力を使用してＲＦ信号中の干渉を消去することとを含む。
【０００８】
[0008]一態様では、第１のターゲット干渉タイプを選択することは、ＲＦ信号の基本周波数における干渉がしきい値レベルを超えるかどうかを決定することと、ＲＦ信号の基本周波数がしきい値レベルを超えるとき、基本周波数干渉をターゲット干渉として選択することと、ＲＦ信号の基本周波数がしきい値レベルを超えないとき、帯域外干渉をターゲット干渉として選択することとを含む。
【０００９】
[0009]一態様では、第１のターゲット干渉タイプはＲＦ信号の基本周波数における干渉を含み、係数はアナログ領域中で算出され得る。
【００１０】
[0010]一態様では、第１のターゲット干渉タイプは帯域外干渉を含み、係数はデジタル領域中で算出され得る。係数は、受信されたＲＦ信号のベースバンド表現から係数を算出することによってデジタル領域中で算出され得る。係数はアナログ係数に変換され得、アナログ係数は、ＲＦ信号中の干渉を消去するために干渉消去回路に適用され得る。
【００１１】
[0011]一態様では、第１のターゲット干渉タイプはＲＦ信号の基本周波数における干渉を含む。本方法は、第１のフィルタに、ＲＦ信号を表すアナログフィードバック信号を提供することを含み得る。第１のフィルタの出力は、アナログフィードバック信号を使用して生成され得る。
【００１２】
[0012]一態様では、第１のフィルタは最小２乗平均フィルタを含む。
【００１３】
[0013]一態様では、第１のフィルタは、第１のターゲット干渉タイプに基づいて１つまたは複数のスイッチを閉じることによって構成され得る。１つまたは複数のスイッチの各々は、第１のフィルタへのフィードバックのそれぞれのタイプの提供を制御し得る。
【００１４】
[0014]一態様では、第１のフィルタは、第１のフィルタに、係数から生成されたベースバンドフィードバック信号を提供することによって構成され得る。
【００１５】
[0015]一態様では、本方法は、受信機によって受信されたＲＦ信号に影響を及ぼす複数の干渉タイプのうちの１つから第２のターゲット干渉タイプを選択することと、第２のターゲット干渉タイプに基づいて算出された係数を使用して干渉消去回路の第２のフィルタを構成することと、第１のフィルタの出力を使用してＲＦ信号中の干渉を消去する間、第２のフィルタの出力を使用してＲＦ信号中の干渉を消去することとを含む。
【００１６】
[0016]一態様では、本方法は、送信機からベースバンド送信信号を受信することを含む。送信機は、ベースバンド送信信号のＲＦバージョンを送信し、ベースバンド送信信号を使用して、受信されたＲＦ信号のベースバンド表現中の干渉を消去することように適応され得る。ベースバンド送信信号はデジタル信号を含み得る。
【００１７】
[0017]様々な態様では、ワイヤレス通信デバイスは、送信機回路と受信機回路とを含む１つまたは複数のトランシーバと、送信機回路によって送信された干渉信号を表す基準信号を受信するための手段と、受信機回路によって受信された無線周波数（ＲＦ）信号に影響を及ぼす複数の干渉タイプのうちの１つから第１のターゲット干渉タイプを選択するための手段と、第１のターゲット干渉タイプに基づいて算出された係数を使用して干渉消去回路の第１のフィルタを構成するための手段と、第１のフィルタの出力を使用してＲＦ信号中の干渉を消去するための手段とを含む。
【００１８】
[0018]様々な態様では、コンピュータ可読記憶媒体は、その上に記憶された命令を有する。記憶媒体は、一時的および／または非一時的ストレージデバイスを含み得る。命令は、少なくとも１つのプロセッサによって実行可能であり得る。実行されたとき、命令は、少なくとも１つのプロセッサに、送信機によって送信された干渉信号を表す基準信号を受信することと、受信機によって受信されたＲＦ信号に影響を及ぼす複数の干渉タイプのうちの１つから第１のターゲット干渉タイプを選択することと、第１のターゲット干渉タイプに基づいて算出された係数を使用して干渉消去回路の第１のフィルタを構成することと、第１のフィルタの出力を使用してＲＦ信号中の干渉を消去することとを行わせ得る。
【００１９】
[0019]様々な態様では、干渉消去装置は、送信機によって送信された干渉信号を表す基準信号を受信するための手段と、受信機によって受信されたＲＦ信号に影響を及ぼす複数の干渉タイプのうちの１つから第１のターゲット干渉タイプを選択するための手段と、第１のターゲット干渉タイプに基づいて算出された係数を使用して干渉消去回路の第１のフィルタを構成するための手段と、第１のフィルタの出力を使用してＲＦ信号中の干渉を消去するための手段とを含む。
【図面の簡単な説明】
【００２０】
【図１】[0020]アクティブ干渉消去システムのブロック図。
【図２】[0021]１つまたは複数のワイヤレス通信デバイスを含むネットワーキング環境を示す図。
【図３】[0022]本開示の様々な実施形態による、複数の送信機と複数の受信機とを有するワイヤレス通信デバイスのブロック図。
【図４】[0023]本明細書で開示される様々な態様に従って干渉消去を実行するように適応され得るシステムを示すブロック図。
【図５】[0024]異なるタイプの干渉を示すグラフ。
【図６】[0025]干渉消去のいくつかの態様の有効性を示すグラフ。
【図７】[0026]本明細書で開示されるいくつかの態様による、適応干渉消去システムの第１の例を示すブロック概略図。
【図８】[0027]本明細書で開示されるいくつかの態様による、適応干渉消去システムの第２の例を示すブロック概略図。
【図９】[0028]本明細書で開示されるいくつかの態様による、適応干渉消去システムの第３の例を示すブロック概略図。
【図１０】[0029]本明細書で開示されるいくつかの態様に従って適応され得る処理回路を採用する装置の一例を示すブロック図。
【図１１】[0030]ワイヤレス通信の方法のフローチャート。
【図１２】[0031]本明細書で開示されるいくつかの態様に従って適応された処理回路を採用する処理を採用する装置のためのハードウェア実装形態の一例を示す図。
【発明を実施するための形態】
【００２１】
[0032]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。
【００２２】
[0033]本開示の様々な態様は、同じまたは隣接する周波数、高調波周波数、あるいは相互変調積周波数上で動作する第２の無線機（トランシーバ）の受信性能に影響を及ぼす、１つの無線機（トランシーバ）による送信から生じるデバイス内干渉を消去するためのシステムおよび方法に関する。特定の態様では、干渉消去システムは、異なる無線機の組合せのために適応可能である。たとえば、無線機の第１の組合せによって引き起こされる共存問題では、送信無線機（たとえば、ＷｉＦｉ）が干渉消去（ＩＣ）回路の入力のために選択され得、受信無線機（たとえば、Ｂｌｕｅｔｏｏｔｈ）が干渉消去回路の出力のために選択され得る。無線機の第２の（異なる）組合せによって引き起こされる共存問題では、送信無線機（たとえば、ＷｉＦｉ）は干渉消去回路の入力のために選択され得、受信無線機（たとえば、ＬＴＥ帯域７）は干渉消去回路の出力のために選択され得る。（干渉消去の場合のような）消去という用語およびそれの変形態は、少なくとも一部の干渉が低減されるという点で、低減、緩和などと同義であり得ることに留意されたい。
【００２３】
[0034]干渉消去回路は、干渉消去経路中の信号を結合経路中の信号と整合させるように構成されたアナログ１タップ最小２乗平均（ＬＭＳ）適応フィルタを使用し得る。ＬＭＳ適応フィルタは、それが、所望の信号と観測または受信された信号との間の差分を表し得る誤差信号の最小２乗平均を生成するために計算されたフィルタ係数を使用して所望のフィルタを模倣するように動作し得る。従来の１タップＬＭＳ干渉消去フィルタは、理想的には、干渉信号の電力がそれの最高のものになる周波数においてそれのピーク消去エネルギーを集束させ、一般に、あるタイプの干渉および／または１つの周波数または周波数の帯域に影響を及ぼす干渉に対処することができる。消去中心をアクティブにステアリングするためにＤＣオフセットがＬＭＳフィルタに適用され得、ＤＣオフセットの値は、受信機から導出されたベースバンド信号に従ってデジタル領域中で自動的に計算される。ＤＣオフセットは、ベースバンド信号に従ってデジタル領域中で計算されるＬＭＳフィルタ係数を使用して生成され得る。
【００２４】
[0035]本開示のいくつかの態様によれば、１つまたは複数のＬＭＳ回路は、アクティブ干渉消去を使用して異なるタイプの干渉を消去するように適応的に構成され得る。
【００２５】
[0036]図２は、１つまたは複数のワイヤレス通信デバイス２０２ａ〜２０２ｄを含むネットワーキング環境２００を示す図である。各ワイヤレス通信デバイス２０２ａ〜２０２ｄは、少なくとも１つのアクセスポイント２０６、２０８、２１０に／からワイヤレス信号を送信および／または受信するように適応あるいは構成され得る。事例では、ワイヤレス通信デバイス２０２ａ〜２０２ｄは、少なくとも１つの他のワイヤレス通信デバイス２０２ａ〜２０２ｄに／からワイヤレス信号を送信および／または受信するように適応あるいは構成され得る。１つまたは複数のワイヤレス通信デバイス２０２ａ〜２０２ｄは、モバイルデバイスおよび／または移動可能であるが主に固定のままであることを意図されたデバイスを含み得る。一例では、デバイスは、セルラーフォン、スマートフォン、携帯情報端末、ポータブルコンピューティングデバイス、ウェアラブルコンピューティングデバイス、およびアプライアンス、メディアプレーヤ、ナビゲーションデバイス、タブレットなどであり得る。１つまたは複数のワイヤレス通信デバイス２０２ａ〜２０２ｄは、ワイヤレス信号を送信および／または受信することが可能な固定デバイス（たとえば、デスクトップコンピュータ、マシンタイプ通信デバイスなど）をも含み得る。１つまたは複数のワイヤレス通信デバイス２０２ａ〜２０２ｄは、別のデバイス中で使用することが実効的に可能であり得る１つまたは複数の集積回路、回路板など中に組み込まれるかまたはそれらから構成される装置またはシステムを含み得る。したがって、本明細書で使用される「デバイス」および「モバイルデバイス」という用語は、各用語がワイヤレス信号を送信および／または受信し得る任意の単一のデバイス、または任意の組合せ可能なデバイスのグループを指すように意図されているので、互換的に使用され得る。
【００２６】
[0037]アクセスポイント２０６、２０８、２１０のうちの１つまたは複数は、無線アクセス技術（ＲＡＴ）を使用して接続性を与える無線アクセスネットワーク（ＲＡＮ）２０４、２１４に関連し得る。ＲＡＮ２０４、２１４は、コアネットワークに１つまたは複数のワイヤレス通信デバイス２０２ａ〜２０２ｄを接続し得る。様々な例では、ＲＡＮ２０４、２１４は、ＷＷＡＮ、ＷＬＡＮ、ＷＰＡＮ、ワイヤレスメトロポリタンエリアネットワーク（ＷＭＡＮ）、Ｂｌｕｅｔｏｏｔｈ通信システム、ＷｉＦｉ通信システム、モバイル通信用グローバルシステム（ＧＳＭ（登録商標））システム、エボリューションデータオンリー／エボリューションデータオプティマイズド（ＥＶＤＯ）通信システム、ウルトラモバイルブロードバンド（ＵＭＢ）通信システム、ＬＴＥ通信システム、モバイル衛星サービス−補助地上波コンポーネント（ＭＳＳ−ＡＴＣ：Mobile Satellite Service- Ancillary Terrestrial Component）通信システムなどを含み得る。
【００２７】
[0038]ＲＡＮ２０４、２１４は、単にクラウド２１２によって表される他のデバイスおよび／またはリソースと通信し、および／または他の方法で動作可能にアクセスすることが可能であり得る。たとえば、クラウド２１２は、１つまたは複数の通信デバイス、システム、ネットワーク、またはサービス、および／または１つまたは複数のコンピューティングデバイス、システム、ネットワーク、またはサービスなど、あるいはそれらの任意の組合せを含み得る。
【００２８】
[0039]様々な例では、ＲＡＮ２０４、２１４は、限定はしないが、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）などを含む、任意の好適な多元接続および多重化方式を利用し得る。ＲＡＮ２０４、２１４がＷＷＡＮである例では、ネットワークは、デジタルアドバンストモバイルフォンシステム（Ｄ−ＡＭＰＳ）、ＩＳ−９５、ｃｄｍａ２０００、モバイル通信用グローバルシステム（ＧＳＭ）、ＵＭＴＳ、ｅＵＴＲＡ（ＬＴＥ）、または任意の他の好適なＲＡＴなど、１つまたは複数の規格化されたＲＡＴを実装し得る。ＧＳＭ、ＵＭＴＳ、およびｅＵＴＲＡは、「第３世代パートナーシッププロジェクト」（３ＧＰＰ（登録商標）：3rd Generation Partnership Project）と称する団体からの文書に記載されている。ＩＳ−９５およびｃｄｍａ２０００は、「第３世代パートナーシッププロジェクト２」（「３ＧＰＰ２」：3rd Generation Partnership Project 2）と称する団体からの文書に記載されている。３ＧＰＰおよび３ＧＰＰ２の文書は公的に入手可能である。ＲＡＮ２０４、２１４がＷＬＡＮである例では、ネットワークは、ＩＥＥＥ８０２．１１ｘネットワーク、または任意の他の好適なネットワークタイプであり得る。ＲＡＮ２０４、２１４がＷＰＡＮである例では、ネットワークは、Ｂｌｕｅｔｏｏｔｈネットワーク、ＩＥＥＥ８０２．１５ｘ、または任意の他の好適なネットワークタイプであり得る。
【００２９】
[0040]ワイヤレス通信デバイス２０２ａ〜２０２ｄは、少なくとも１つの（トランシーバとも呼ばれる）無線機を含み得る。本明細書で使用される「無線機」または「トランシーバ」という用語は、ワイヤレス信号を受信することおよび／またはワイヤレス信号を送信することが可能であり得る任意の回路などを指す。特定の態様では、２つまたはそれ以上の無線機が、回路など（たとえば、処理ユニット、メモリなど）の一部分を共有することが可能であり得る。すなわち、「無線機」または「トランシーバ」という用語は、別個の送信機と受信機とを有するデバイス、信号を送信および受信するための複合回路を有するデバイスなどを含む、信号を送信する能力と信号を受信する能力の両方を有するデバイスを含むように解釈され得る。
【００３０】
[0041]いくつかの態様では、ワイヤレス通信デバイス２０２ａ〜２０２ｄは、少なくともＲＡＮ２０４、２１４の第１のネットワークに関連するワイヤレス信号を受信および／または送信することが可能な第１の無線機、アクセスポイント２０６、２０８、２１０に関連するワイヤレス信号を受信および／または送信することが可能である第２の無線機、ＲＡＮ２０４、２１４と地理的に重複するかまたはそれらとコロケートされ得るピアデバイスまたは他の送信機、ならびに／あるいはナビゲーションシステム（たとえば、衛星測位システムなど）を含み得る。
【００３１】
ワイヤレス通信デバイスにおける干渉消去の概観
[0042]図３は、本明細書で開示されるいくつかの態様による、複数の送信機３０２ａ〜３０２ｄと複数の受信機３１０ａ〜３１０ｄとを含むワイヤレス通信デバイス３００を示すブロック図である。送信機３０２ａ〜３０２ｄおよび受信機３１０ａ〜３１０ｄは、第１のＲｘ／Ｔｘ回路３１０ａ／３０２ａと、第２のＲｘ／Ｔｘ回路３１０ｂ／３０２ｂと、第３のＲｘ／Ｔｘ回路３１０ｃ／３０２ｃと、第ＮのＲｘ／Ｔｘ回路３１０ｄ／３０２ｄとを含む、Ｎ個の受信機／送信機（Ｒｘ／Ｔｘ）回路として与えられ得る、１つまたは複数の送信機３０２ａ〜３０２ｄがアクティブに送信しており、１つまたは複数の受信機３１０ａ〜３１０ｄがアクティブに受信しているとき、共存問題が生じ得る。
【００３２】
[0043]Ｒｘ／Ｔｘ回路３１０ａ／３０２ａ、３１０ｂ／３０２ｂ、３１０ｃ／３０２ｃ、および／または３１０ｄ／３０２ｄの各々は、たとえば、それぞれの周波数、群遅延をもつ無線周波数回路、他のＴｘ／Ｒｘ回路Ｒｘ／Ｔｘ回路３１０ａ／３０２ａ、３１０ｂ／３０２ｂ、３１０ｃ／３０２ｃ、３１０ｄ／３０２ｄへの結合チャネル利得などを含む、いくつかのパラメータに従って動作するように構成され得る。たとえば、第１のＴｘ／Ｒｘ回路３１０ａ／３０２ａは、第１の周波数ｆ1において第１の遅延ｄ1で動作し得、第２のＴｘ／Ｒｘ回路３１０ｂ／３０２ｂは、第２の周波数ｆ2において第２の遅延ｄ2で動作し得、第３のＴｘ／Ｒｘ回路３１０ｃ／３０２ｃは、第３の周波数ｆ3において第３の遅延ｄ3で動作し得、第ＮのＴｘ／Ｒｘ回路３１０ｄ／３０２ｄは、第Ｎの周波数ｆNにおいて第Ｎの遅延ｄnで動作し得る。第１のＴｘ／Ｒｘ回路３１０ａ／３０２ａは、それぞれ、第２のＴｘ／Ｒｘ回路３１０ｂ／３０２ｂへの結合チャネル利得ｈ12、第３のＴｘ／Ｒｘ回路３１０ｃ／３０２ｃへの結合チャネル利得ｈ13、および第ＮのＴｘ／Ｒｘ回路３１０ｄ／３０２ｄへの結合チャネル利得ｈ1Nを有し得る。他のＴｘ／Ｒｘ回路３１０ａ／３０２ａ、３１０ｂ／３０２ｂ、３１０ｃ／３０２ｃ、３１０ｄ／３０２ｄは、様々なＴｘ／Ｒｘ回路３１０ａ／３０２ａ、３１０ｂ／３０２ｂ、３１０ｃ／３０２ｃ、３１０ｄ／３０２ｄへの異なる結合チャネル利得を有し得る。
【００３３】
[0044]様々な態様では、装置３０１は、たとえば、同じ周波数、隣接する周波数、高調波周波数、または分数調波周波数上で動作するＴｘ／Ｒｘ回路３１０ａ／３０２ａ、３１０ｂ／３０２ｂ、３１０ｃ／３０２ｃ、３１０ｄ／３０２ｄ間で生成される干渉を低減するように構成され得る。装置３００は、異なるＴｘ／Ｒｘ回路組合せのために構成または適応され得る。すなわち、装置３００は、Ｔｘ／Ｒｘ回路３１０ａ／３０２ａ、３１０ｂ／３０２ｂ、３１０ｃ／３０２ｃ、および／または３１０ｄ／３０２ｄの現在の組合せによって引き起こされる共存問題に基づく干渉を消去するように構成され得る。たとえば、時間Ｔ1における共存問題は、第１の送信機３０２ａがＷｉＦｉのために採用され、第２の受信機３１０ｂがＢｌｕｅｔｏｏｔｈのために採用されるときに生じ得る。従来のシステムでは、装置は、第１の送信機３０２ａの出力３１２を干渉消去（ＩＣ）回路３０６に選択的に提供するように構成され得、これは、次いで、第２の受信機３１０ｂに干渉消去信号３１８を提供し得る。したがって、干渉消去回路３０６は、アグレッサＴｘ／Ｒｘ回路３１０ａ／３０２ａによってビクティムＴｘ／Ｒｘ回路３１０ｂ／３０２ｂ上に引き起こされる干渉を低減するように動作し得る。一例では、アグレッサ３１０ａ／３０２ａからビクティムＴｘ／Ｒｘ回路３１０ｂ／３０２ｂへの結合チャネル利得は、２つのアンテナの分離に基づく−１０ｄＢであり得、干渉消去回路３０６は、干渉消去成功のためにこの利得を整合させるように構成され得る。いくつかの例では、装置３００は、干渉消去構成を選択するように制御され得るマルチプレクサ（ＭＵＸ）回路３０４およびデマルチプレクサ（ＤＥＭＵＸ）回路３０８を含み得る。
【００３４】
[0045]図４は、本明細書で開示されるいくつかの態様による、送信機４０２と受信機４２０との間のデバイス内干渉を消去するために使用され得るシステム４００のいくつかの態様を示す。システム４００は、１つまたは複数のサブシステム、装置、デバイス、または構成要素に関連し得る。送信機（Ｔｘ）４０２はオフェンディング送信機であり得、受信機４２０はビクティム受信機であり得る。すなわち、送信機４０２は、ビクティム受信機４２０によって受信されるオーバージエア信号４０６に関するデバイス内干渉を生成するかまたは引き起こすオフェンダーであり得る。オフェンディング送信機４０２とビクティム受信機４２０とは、同じデバイスの一部であり得る。その上、単一の送信機４０２と単一の受信機４２０とが示されているが、２つ以上の送信機４０２および／または２つ以上の受信機４２０が本開示の態様に従って与えられ得る。
【００３５】
[0046]送信機４０２は電力増幅器（ＰＡ）４０８とＴｘフィルタ４１０とに関連するか、または結合され得、それらの構成要素は当技術分野でよく知られており、したがって、さらなる説明は簡潔のために省略される。ＰＡ４０８は、Ｔｘ４０２による送信のための信号またはデータを受信し得る。
【００３６】
[0047]送信機４０２はカプラ４１２に関連し得る。カプラ４１２は、ＡＩＣ回路４１６に基準信号ｒ（ｔ）４０４を提供するために使用され得る。基準信号は、送信機４０２によって送信された信号のある部分または機能に対応し得、バンドパスフィルタ（ＢＰＦ）４１４を通して提供され得る。一例では、ＡＩＣ回路４１６は１タップ最小２乗平均（ＬＭＳ）適応フィルタ４１８を含み得る。概して、ＡＩＣ回路４１６は、ＡＩＣ出力がデバイス内干渉信号を消去するために弱め合う様式で干渉信号４０６と組み合わせられ得るような、オーバージエア干渉信号４０６にできるだけ近接して整合される出力信号を生成するように構成され得る。ＡＩＣ４１６および／またはＬＭＳ適応フィルタ４１８は、コンバイナ、積分器、または加算器４２２への第１の入力として供給され得る出力を生成するように構成され得る。加算器４２２への第２の入力は、受信機（Ｒｘ）４２０によって受信された信号４０６に対応し得る。いくつかの事例では、信号４０６は、ＢＰＦ４２４を通して加算器４２２に提供され得る。
【００３７】
[0048]加算器４２２は、低雑音増幅器（ＬＮＡ）４２６に提供される出力を生成するためにそれの入力を組み合わせるように構成され得る。一例では、加算器４２２は、ＢＰＦ４２４から受信された入力からＡＩＣ４１６および／またはＬＭＳフィルタ４１８によって提供された入力を減算するように構成され得る。ＬＭＳフィルタ係数の選択が完全である理想的な場合、加算器４２２の第１の入力において提供された信号は、オーバージエア信号４０６に関連する干渉に等しく、したがって、干渉は、ＬＮＡ４２６に提供された信号中で除去される。この点において、カプラ４１２からＢＰＦ４１４を通るＡＩＣ４１６／フィルタ４１８への経路は、基準信号ｒ（ｔ）を提供するための基準経路として働き得る。
【００３８】
[0049]システム４００は、実質的に同じフィルタ特性を有するように、基準信号経路中のＢＰＦ４１４と、受信機アンテナに結合されたＢＰＦ４２４とを提供し得る。すなわち、実質的に同じ方法で両方の信号をフィルタ処理することは、基準信号ｒ（ｔ）と受信された信号４０６との間のタイミング不一致が低減または除去されるのを保証するのを助けることができる。
【００３９】
[0050]いくつかの事例では、ＡＩＣ回路４１６は、ベースバンド信号に変換された後の受信された信号に基づく情報を使用して構成され得る。一例では、係数コントローラ４５０は、ベースバンド信号から１つまたは複数の係数を導出し、係数に基づいてＡＩＣ４１６を構成し得る。すなわち、ＬＮＡ４２６からの出力ｙ（ｔ）がミキサ４２８に提供され得る。ミキサ４２８は、次いで、ＬＮＡ４２６からの出力ｙ（ｔ）を第１の信号領域または周波数から第２の信号領域または周波数にコバートする。たとえば、第１の信号領域は、選択された無線周波数に関し得、第２の信号領域はベースバンド周波数に関し得る。ここで、ベースバンド信号は、非変調信号、低域信号、またはいくつかの例では、たとえば、最高２０ｋＨｚの可聴範囲に対応する比較的低い周波数における信号を含み得る。いくつかの事例では、ミキサ４２８は、ベースバンドへの変換を行うために、電圧制御発振器（ＶＣＯ）などの発振器から信号を受信し得る。
【００４０】
[0051]ミキサ４２８からの出力ベースバンド信号は、アンチエイリアシングフィルタとして動作し得るアナログフィルタ４３０に提供され得る。フィルタ４３０の出力は、アナログデジタル変換器（ＡＤＣ）４３２に提供され得る。ＡＤＣ４３２の出力は、場合によってはデジタルフィルタ４３４に提供され得る。デジタルフィルタ４３４の出力はプロセッサ４３６に提供され得る。いくつかの事例では、デジタルフィルタ４３４は、プロセッサ４３６が、ＡＤＣ４３２から出力されたベースバンド信号のデジタルサンプルからデジタル係数を直接算出し得るように、省略され得る。
【００４１】
[0052]プロセッサ４３６は、ＤＣオフセット、および／またはＡＩＣ回路４１６へのＬＭＳ係数を表す１つまたは複数の信号を生成し、出力するように構成され得る。プロセッサ４３６はデジタルフォーマットで出力を生成し得、出力はデジタルアナログ変換器（ＤＡＣ）４４０に提供され得る。ＤＡＣ４４０の出力は、次いで、ＡＩＣ４１６および／またはＬＭＳフィルタ４１８に提供され得る。
【００４２】
[0053]本明細書で開示されるいくつかの態様に従って提供される干渉消去回路は、受信機に影響を及ぼし得る複数の干渉源および／または干渉タイプを同時に扱うように適応され得る。一例では、干渉源は、ＬＴＥに割り振られた周波数中でＬＴＥ信号を送信する近くのおよび／またはデバイス内送信アンテナであり得る。これらのＬＴＥ信号は、Ｗｉ−Ｆｉ（登録商標）受信アンテナにおいて強い干渉を生成し得る。帯域外（ＯＯＢ：out-of-band）放出と、基本放出と、位相雑音とによって引き起こされる干渉を含む、異なるタイプの干渉が生成され得る。Ｗｉ−Ｆｉチャネルによって使用される周波数が、ＬＴＥによって使用される周波数から遠い場合でも、干渉が生成され得る。特定の一例では、２．４６２ＧＨｚ  Ｗｉ−Ｆｉチャネル１１と、１００ＭＨｚの帯域幅をもつ２．３ＧＨｚと２．４ＧＨｚとの間の周波数を割り振られたＬＴＥ帯域４０（Ｂ４０）中のＬＴＥ送信との間で干渉が発生し得る。アナログアンチエイリアシングフィルタであり得るチャネル化フィルタがミキサの後に配置され、過剰な量のエネルギーがＷｉ−Ｆｉ帯域内に入り、Ｒｘフロントエンドを飽和させるので、干渉が発生し得る。
【００４３】
[0054]単一のデバイスが複数のＲＡＴを使用して通信するとき、異なるタイプの干渉が発生することがある。一例では、２．４ＧＨｚに同調されたＷＬＡＮ受信機が、基本周波数上でのおよびＯＯＢ送信上でのＬＴＥ  Ｂ４０送信によって犠牲にされ得る。ＯＯＢ送信は、隣接チャネル漏洩比（ＡＣＬＲ：Adjacent Channel Leakage Ratio）によって表される隣接チャネル干渉を含むか、またはそれとして特徴づけられ得る。図５は、基本周波数に影響を及ぼす干渉５０２と、ＯＯＢ送信として呈する干渉５０４と、送信機位相雑音に起因する干渉５０６とを含む、異なるタイプの干渉を示すグラフ５００である。多くの事例では、基本周波数に影響を及ぼす干渉５０２の存在にＯＯＢ干渉５０６が付随する。
【００４４】
[0055]ＬＴＥ  Ｂ４０基本周波数における送信が、基本周波数に影響を及ぼす干渉５０２の原因となり得る。一例では、２．４ＧＨｚにおける産業、科学、および医療（ＩＳＭ）無線帯域のための帯域フィルタは、たとえば不完全なＩＳＭフィルタ特性により、よりハイエンドのＬＴＥ  Ｂ４０信号の基本周波数を拒否することにおいてあまり有効でないことがある。受信機フロントエンドは、２．４６２ＧＨｚチャネルＷｉ−Ｆｉチャネルを含むＷｉ−Ｆｉチャネルのより高い周波数が使用されるときでも飽和状態になり得る。この例では、アナログ干渉消去は、有益な結果を生成し得、最高残差電力をもつ周波数において干渉を消去するように構成され得る。
【００４５】
[0056] ＬＴＥ  Ｂ４０送信に関連するＯＯＢ放出は、ＬＴＥ  Ｂ４０送信のサイドローブ（スカート）が、たとえば２．４１２ＧＨｚにおけるＷｉ−Ｆｉチャネル１を含むＷｉ−Ｆｉチャネル内に入るとき、干渉を生成し得る。ＯＯＢ干渉は、アナログＬＭＳ係数をデジタル的に制御することによって消去され得る。
【００４６】
[0057]本明細書で開示されるいくつかの態様は、基本送信とＯＯＢ放出とによって引き起こされる干渉の適応消去のためのシステムおよび方法を提供する。消去は、アナログおよびデジタル領域中で選択的に実行され得、それにより、ＬＭＳ係数が、アナログまたはデジタル領域中で適応的に算出され得る。図６は、選択された消去方式の有効性および／または効率を特徴づける際に有用であり得る干渉消去のいくつかの態様を示すグラフ６００である。たとえば、アナログフィルタが、関連するＲＦコスト関数６０６および／またはベースバンドコスト関数６０８とともに抑圧のレベル６０４を呈する信号６０２を生成し得る。
【００４７】
切替え消去
[0058]図７は、本明細書で開示されるいくつかの態様による、適応干渉消去システム７００の第１の例を示すブロック概略図である。通信デバイスの送信機回路４０２（図４も参照）は、デバイス中の受信機回路４２０に干渉する様式で動作する。この例では、基本周波数および／またはＯＯＢ周波数に影響を及ぼす送信機回路４０２からの干渉７０２を消去するように構成され得る適応干渉消去回路７１０が提供される。いくつかの事例では、干渉消去回路は、基本周波数中の干渉があらかじめ定義されたしきい値電力レベルを超えるとき、基本周波数中の干渉を消去するように構成される。基本周波数中の干渉が有意でない場合、適応干渉消去回路７１０は、ＯＯＢ干渉に対処するように構成され得る。
【００４８】
[0059]適応干渉消去回路７１０の動作モードは、適応干渉消去回路７１０が、基本周波数干渉を消去するためのアナログＲＦ信号経路からのアナログ係数またはフィードバック、および／あるいはＯＯＢ干渉を消去するためのＲＦ信号を表すベースバンド信号からのフィードバックのデジタル係数を使用するかどうかを決定するように制御され得るスイッチ７０６、７０８のペアを使用して構成され得る。第１の動作モードでは、第１のスイッチ７０６は、干渉消去回路７１０にアナログフィードバックを提供するために閉じられ得る。第２の動作モードでは、第２のスイッチ７０８は、デジタルフィードバックが第２のスイッチ７０８を通して受信されるように閉じられ得、ここで、デジタルフィードバックはデジタルベースバンド信号から計算される。
【００４９】
[0060]第１の動作モードでは、ＡＩＣ回路７１０は、第１のスイッチ７０６が閉じられたとき、１タップＬＭＳフィルタを使用してＯＯＢと基本干渉の両方に作用し得る。ＡＩＣ回路７１０は、干渉消去のために、干渉する送信機回路４０２から基準信号ｒ（ｔ）４０４を受信し得る。ＡＩＣ回路７１０はポリフェーズ構成要素７１２および７１４を含み得る。ポリフェーズ構成要素７１２および７１４は、基準信号４０４に対する同相信号出力と直交信号出力とを生成するために使用され得る。同相信号出力は、位相シフトなし（たとえば、０度位相シフト）で基準信号４０４を単に受け渡すことによって生成され得る。直交信号出力は、基準信号４０４に９０度位相シフトを適用することによって生成され得る。
【００５０】
[0061]第１のポリフェーズ構成要素７１２によって出力された同相信号はミキサ７２６に提供される。第１のポリフェーズ構成要素７１２によって出力された直交信号はミキサ７３６に提供される。ミキサ７２６、７３６の出力が、加算器、積分器、またはコンバイナ７１６に提供される。加算器７１６の出力は、加算器４２２への入力として働く。
【００５１】
[0062]第２のポリフェーズ構成要素７１４によって出力された同相信号はミキサ７１８に提供される。第２のポリフェーズ構成要素７１４によって出力された直交信号はミキサ７２８に提供される。ミキサ７１８、７２８はそれぞれ、閉じられたスイッチ７０６を通してＬＮＡ４２６の出力に対応する第２の入力を受信する。すなわち、本開示のいくつかの態様では、受信機回路４２０の出力信号に対応するフィードバックが、ＡＩＣ回路７１０への入力として提供される。
【００５２】
[0063]ミキサ７１８の出力が第１の加算器または積分器７２０に提供される。ミキサ７２８の出力が第２の加算器または積分器７３０に提供される。積分器７２０、７３０の各々への第２の入力が、ＡＩＣ回路７１０をステアリングするために使用され得る、デジタル化された受信された信号から係数を生成するコントローラ７４０によって提供される。積分器７２０、７３０の出力が、それぞれ、第１のローパスフィルタ（ＬＰＦ）７２２および第２のＬＰＦ７３２を含む、１つまたは複数のフィルタに提供され得る。第１のＬＰＦ７２２および第２のＬＰＦ７３２の出力が、それぞれ、１つまたは複数の増幅器７２４および７３４に提供され得る。増幅器７２４、７３４はそれぞれ、独立して制御される利得（Ｇ）値を有し得る。いくつかの事例では、共通利得が増幅器７２４と７３４の両方に関して使用され得る。増幅器７２４、７３４の出力が、それぞれ、ミキサ７２６および７３６への入力として提供され得る。
【００５３】
[0064]第２の動作モードでは、ＡＩＣ回路７１０は、第２のスイッチ７０８を通して受信されたデジタルフィードバック係数を使用してＯＯＢ干渉に作用し得る。第２のモードにおけるＡＩＣ回路７１０の動作のいくつかの態様は、第１のモードにおけるＡＩＣ回路７１０の動作の対応する態様と同様であり、したがって、完全な再説明は簡潔のために省略される。第２の動作モードでは、積分器７２０、７３０の各々への第２の入力は、コントローラ７４０によって実行される係数アルゴリズム７４６によって出力された係数および／またはオフセットに対応する。係数は、ＬＮＡ４２６によって出力されたＲＦ信号に直接基づくのではなく、むしろ、係数は、アナログデジタル変換器（ＡＤＣ）７４４を使用してベースバンド信号に変換された後の受信された信号に基づく。すなわち、係数コントローラ７４０は、ＡＩＣ回路７１０をステアリングするために、ベースバンド信号から１つまたは複数の係数を生成し得る。デジタル係数は、デジタルアナログ変換器７４２を使用してアナログ信号に変換され得る。
【００５４】
[0065]図８は、本明細書で開示されるいくつかの態様による、適応干渉消去を行うシステム８００の第２の例を示すブロック概略図である。この例では、ＡＩＣは、通信デバイスの送信機回路４０２からの受信機回路４２０（図４参照）における干渉８０２を同時に消去するための２タップＬＭＳを使用して実装され得る。第１の１タップＬＭＳ適応フィルタ８１０が、デジタル経路からのフィードバックを使用してＯＯＢ干渉を消去するように構成され得、第２の１タップＬＭＳ適応フィルタ８１２が、アナログフィードバックを使用して基本周波数における干渉を消去する。係数コントローラ８２０が、ＬＭＳフィルタ８１０、８１２をステアリングするためにベースバンド信号から係数を導出し得る。第１のＬＭＳフィルタ８１０および第２のＬＭＳフィルタ８１２のために係数コントローラ８２０によって生成されたデジタル係数は、それぞれ、ＤＡＣ８２４および８２６を使用してアナログ信号に変換され得る。
【００５５】
[0066]動作中、第１のＬＭＳフィルタ８１０は、デジタルフィードバックを使用して制御され、ＯＯＢ放出によって引き起こされる干渉を消去するために採用され得る。第２のＬＭＳフィルタ８１２は、ステアリング係数を通してアナログおよびＲＦフィードバックならびにデジタルフィードバックを受信する。第２のＬＭＳフィルタ８１２は、基本周波数における干渉を消去するために使用され得る。
【００５６】
[0067]いくつかの態様によれば、同時干渉消去は、干渉の他の組合せをなくすために使用され得る。同時干渉消去は、基本干渉とＯＯＢ干渉との同時消去の蓄積効果を通して、改善された消去利得を与え得る。
【００５７】
[0068]少なくともいくつかの事例では、２つのＬＭＳフィルタ８１０、８１２の動作は、消去の所望の形式または組合せを選択するためのスイッチを使用して制御され得る。一例では、１つのＬＭＳフィルタ８１０または８１２は常にアクティブであり得、他のＬＭＳフィルタ８１２または８１０は日和見的にアクティブ化され得る。
【００５８】
[0069] 図９は、本明細書で開示されるいくつかの態様による、適応干渉消去を行うシステム９００の第３の例を示すブロック概略図である。この例では、ＡＩＣは、カスケード消去を行うために、図７に示されている例示的なＡＩＣ回路７１０の変更バージョンを使用して実装される。ここで、デジタル消去回路および／またはモジュール９０６は、送信機４０２による処理の前に、ＤＡＣ９０４によってアナログに変換されたデジタル送信機入力９０２を提供される。デジタル送信機入力９０２は、受信機４２０から導出されたデジタル出力信号９０８中のＯＯＢ干渉を消去するために、デジタル消去回路および／またはモジュール９０６によって使用され得る。デジタル出力信号９０８は、それがデジタル消去回路および／またはモジュール９０６に提供される前に、１つまたは複数のデジタルフィルタ９１０によって処理され得る。ＡＩＣは、ＬＭＳ７１０の動作に関して説明されたように実行され得る（図７参照）。
【００５９】
[0070]適応干渉消去のこの第３の例では、アナログ消去は、デジタル干渉消去の前に実行される。アナログ干渉消去プロセスは、デジタル干渉消去によって影響を受けない。デジタル干渉消去は、先行するアナログ干渉消去の知識を用いて実行され得る。いくつかの事例では、ＬＭＳフィルタ７１０は、ＲＦ干渉に関係するＡＩＣを含むデジタル干渉消去のいくつかの態様を実行し得る。したがって、累積消去利得が達成され得る。
【００６０】
[0071]デジタル消去とアナログ消去の両方を使用する能力を与えることによっていくつかの利益が生じ得る。アナログ干渉消去がＬＮＡ４２６中の事前飽和を防ぐために使用され得、アナログ干渉消去システムがＰＡ４０８の挙動を容易にモデル化し得る。デジタル干渉消去は、一般に、ＬＮＡ４２６中の事前飽和を防ぐことができず、ＰＡ４０８の挙動のモデリングはデジタル干渉消去システムでは比較的複雑である。デジタル干渉消去は、Ｔｘ信号経路中のカプラ４１２の使用を必要とせず、Ｔｘ信号は、デジタル干渉消去の使用によって劣化されない。アナログ干渉消去は、ＲＦ信号チェーン中のＲＦ構成要素の追加を必要とし得、干渉電力が低いとき、雑音指数（ＮＦ）を増加させ得、ここで、ＮＦは、ＲＦ信号チェーン中の構成要素によって引き起こされる信号対雑音比（ＳＮＲ）の劣化の測度である。デジタル干渉消去は、追加のＲＦ構成要素の挿入を必要とせず、したがって、ＮＦへの影響を有しないが、デジタル干渉消去は、ベースバンド信号に対するベクトル処理エンジンの使用の増加を必要とし得る。アナログ干渉消去は、および係数を生成するためにベクトル処理エンジンを採用し得るが、デジタル制御係数の使用は、アナログ干渉消去プロセスの動的オン／オフ制御を可能にし得る。デジタル干渉消去は、容易に有効および無効にされ得る。
【００６１】
[0072]アナログ干渉消去とデジタル干渉消去の両方は、複数のアンテナを用いておよび／またはチャネル中のフェージングなどを含む動的状態の下でロバストネスを与える様式で実装され得る。アナログ干渉消去は、複数無線機共存を緩和することができ、デジタル干渉消去は、いくつかのレイテンシ要件、および時間／周波数同期要件が満たされるという条件で、複数無線機共存を緩和し得る。アナログ干渉消去とデジタル干渉消去の両方は異なるシナリオに適応することができるが、変化するシナリオの下で処理環境の構成が再構成される必要があり得る。
【００６２】
[0073]図１０は、本明細書で開示される１つまたは複数の機能を実行するように構成され得る、処理回路１００２を採用する装置のためのハードウェア実装形態の簡略化された例を示す概念図１０００である。本開示の様々な態様によれば、本明細書で開示される要素、または要素の任意の部分、または要素の任意の組合せが、処理回路１００２を使用して実装され得る。処理回路１００２は、ハードウェアおよびソフトウェアモジュールのいくつかの組合せによって制御される１つまたは複数のプロセッサ１００４を含み得る。プロセッサ１００４の例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、シーケンサ、ゲート論理、個別ハードウェア回路、および本開示全体にわたって説明される様々な機能を実行するように構成された他の好適なハードウェアがある。１つまたは複数のプロセッサ１００４は、特定の機能を実行し、ソフトウェアモジュール１０１６のうちの１つによって構成され、拡張されまたは制御され得る、専用プロセッサを含み得る。１つまたは複数のプロセッサ１００４は、初期化中にロードされるソフトウェアモジュール１０１６の組合せを通して構成され得、動作中に１つまたは複数のソフトウェアモジュール１０１６をロードまたはアンロードすることによってさらに構成され得る。
【００６３】
[0074]図示の例では、処理回路１００２は、バス１０１０によって概略的に表されるバスアーキテクチャを用いて実装され得る。バス１０１０は、処理回路１００２の特定の適用例および全体的な設計制約に応じて、任意の数の相互接続バスおよびブリッジを含み得る。バス１０１０は、１つまたは複数のプロセッサ１００４とストレージ１００６とを含む様々な回路を互いにリンクする。ストレージ１００６は、メモリデバイスと大容量ストレージデバイスとを含み得、本明細書ではコンピュータ可読媒体および／またはプロセッサ可読媒体と呼ばれることがある。バス１０１０は、タイミングソース、タイマー、周辺機器、電圧調節器、および電力管理回路など、様々な他の回路をもリンクし得る。バスインターフェース１００８は、バス１０１０と１つまたは複数のトランシーバ１０１２との間のインターフェースを与え得る。トランシーバ１０１２は、処理回路によってサポートされる各ネットワーキング技術のために与えられ得る。いくつかの事例では、複数のネットワーキング技術は、トランシーバ１０１２中で見つけられる回路または処理モジュールの一部または全部を共有し得る。各トランシーバ１０１２は、伝送媒体を介して様々な他の装置と通信するための手段を与える。装置の性質に応じて、ユーザインターフェース１０１８（たとえば、キーパッド、ディスプレイ、スピーカー、マイクロフォン、ジョイスティック）も与えられ得、直接またはバスインターフェース１００８を通してバス１０１０に通信可能に結合され得る。
【００６４】
[0075]プロセッサ１００４は、バス１０１０を管理することと、ストレージ１００６を含み得るコンピュータ可読媒体に記憶されたソフトウェアの実行を含み得る一般的な処理とを担当し得る。この点において、プロセッサ１００４を含む処理回路１００２は、本明細書で開示される方法、機能および技法のいずれかを実装するために使用され得る。ストレージ１００６は、ソフトウェアを実行するとき、プロセッサ１００４によって操作されるデータを記憶するために使用され得、ソフトウェアは、本明細書で開示される方法のいずれか１つを実装するように構成され得る。
【００６５】
[0076]処理回路１００２中の１つまたは複数のプロセッサ１００４はソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、アルゴリズムなどを意味すると広く解釈されたい。ソフトウェアは、ストレージ１００６中または外部コンピュータ可読媒体中にコンピュータ可読形式で常駐し得る。外部コンピュータ可読媒体および／またはストレージ１００６は非一時的コンピュータ可読媒体を含み得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、「フラッシュドライブ」、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体および／またはストレージ１００６はまた、例として、搬送波、伝送線路、ならびにコンピュータによってアクセスされ、読み取られ得るソフトウェアおよび／または命令を送信するための任意の他の好適な媒体を含み得る。コンピュータ可読媒体および／またはストレージ１００６は、プロセッサ１００４中の処理回路１００２中に存在するか、処理回路１００２の外部にあるか、または処理回路１００２を含む複数のエンティティにわたって分散され得る。コンピュータ可読媒体および／またはストレージ１００６はコンピュータプログラム製品において実施され得る。例として、コンピュータプログラム製品はパッケージング材料中にコンピュータ可読媒体を含み得る。特定の適用例および全体的なシステムに課される全体的な設計制約に応じて、本開示全体にわたって提示される記載の機能をどのようにしたら最も良く実装することができるかを、当業者は認識されよう。
【００６６】
[0077]ストレージ１００６は、本明細書ではソフトウェアモジュール１０１６と呼ばれることがある、ロード可能なコードセグメント、モジュール、アプリケーション、プログラムなどの中で維持および／または編成されたソフトウェアを維持し得る。ソフトウェアモジュール１０１６の各々は、処理回路１００２上にインストールまたはロードされ、１つまたは複数のプロセッサ１００４によって実行されたとき、１つまたは複数のプロセッサ１００４の動作を制御するランタイムイメージ１０１４に寄与する、命令およびデータを含み得る。実行されたとき、いくつかの命令は、処理回路１００２に、本明細書で説明されるいくつかの方法、アルゴリズムおよびプロセスによる機能を実行させ得る。
【００６７】
[0078]ソフトウェアモジュール１０１６のうちのいくつかは、処理回路１００２の初期化中にロードされ得、これらのソフトウェアモジュール１０１６は、本明細書で開示される様々な機能の性能を可能にするように処理回路１００２を構成し得る。たとえば、いくつかのソフトウェアモジュール１０１６は、プロセッサ１００４の内部デバイスおよび／または論理回路１０２２を構成し得、トランシーバ１０１２、バスインターフェース１００８、ユーザインターフェース１０１８、タイマー、数学的コプロセッサなど、外部デバイスへのアクセスを管理し得る。ソフトウェアモジュール１０１６は、割込みハンドラおよびデバイスドライバと対話し、処理回路１００２によって与えられる様々なリソースへのアクセスを制御する、制御プログラムおよび／またはオペレーティングシステムを含み得る。リソースは、メモリ、処理時間、トランシーバ１０１２、ユーザインターフェース１０１８へのアクセスなどを含み得る。
【００６８】
[0079]処理回路１００２の１つまたは複数のプロセッサ１００４は多機能であり得、それにより、ソフトウェアモジュール１０１６のうちのいくつかが異なる機能または同じ機能の異なるインスタンスを実行するようにロードされ、構成される。１つまたは複数のプロセッサ１００４は、たとえば、ユーザインターフェース１０１８、トランシーバ１０１２、およびデバイスドライバからの入力に応答して開始されるバックグラウンドタスクを管理するようにさらに適応され得る。複数の機能の性能をサポートするために、１つまたは複数のプロセッサ１００４は、マルチタスキング環境を与えるように構成され得、それにより、複数の機能の各々が、必要または所望に応じて、１つまたは複数のプロセッサ１００４によってサービスされるタスクのセットとして実装される。一例では、マルチタスキング環境は、異なるタスク間にプロセッサ１００４の制御を受け渡す時分割プログラム１０２０を使用して実装され得、それにより、各タスクは、未処理の動作の完了時におよび／または割込みなどの入力に応答して、１つまたは複数のプロセッサ１００４の制御を時分割プログラム１０２０に戻す。タスクが１つまたは複数のプロセッサ１００４の制御を有するとき、処理回路は、制御タスクに関連する機能によって対処される目的のために効果的に専用化される。時分割プログラム１０２０は、オペレーティングシステム、ラウンドロビンベースで制御を転送するメインループ、機能の優先度付けに従って１つまたは複数のプロセッサ１００４の制御を割り振る機能、および／または処理機能に１つまたは複数のプロセッサ１００４の制御を与えることによって外部イベントに応答する割込み駆動型メインループを含み得る。
【００６９】
[0080]図１１は、ワイヤレス通信の方法のフローチャート１１００である。本方法は、１つまたは複数の送信機と１つまたは複数の受信機とを有するデバイスによって実行され得、ここで、デバイスは、第２のＲＡＴに従って送信される信号を受信する間、第１のＲＡＴに従って信号を送信するように構成される。
【００７０】
[0081]ブロック１１０２において、デバイスは、送信機によって送信された干渉信号を表す基準信号を受信する。
【００７１】
[0082]ブロック１１０４において、デバイスは、受信機によって受信されたＲＦ信号に影響を及ぼす複数の干渉タイプのうちの１つから第１のターゲット干渉タイプを選択する。第１のターゲット干渉タイプは、ＲＦ信号の基本周波数における干渉がしきい値レベルを超えるかどうかを決定することと、ＲＦ信号の基本周波数がしきい値レベルを超えるとき、基本周波数干渉をターゲット干渉として選択することと、ＲＦ信号の基本周波数がしきい値レベルを超えないとき、帯域外干渉をターゲット干渉として選択することとによって選択され得る。
【００７２】
[0083]ブロック１１０６において、デバイスは、第１のターゲット干渉タイプに基づいて算出された係数を使用して干渉消去回路の第１のフィルタを構成する。
【００７３】
[0084]ブロック１１０８において、デバイスは、第１のフィルタの出力を使用してＲＦ信号中の干渉を消去する。
【００７４】
[0085]一例では、第１のターゲット干渉タイプはＲＦ信号の基本周波数における干渉を含み得、デバイスは係数をアナログ領域中で算出し得る。
【００７５】
[0086]別の例では、第１のターゲット干渉タイプは帯域外干渉を含み得、デバイスは係数をデジタル領域中で算出し得る。係数は、受信されたＲＦ信号のベースバンド表現から係数を算出することによってデジタル領域中で算出され得る。係数はアナログ係数に変換され得、アナログ係数は、ＲＦ信号中の干渉を消去するために干渉消去回路に適用され得る。
【００７６】
[0087]別の例では、第１のターゲット干渉タイプはＲＦ信号の基本周波数における干渉を含み、デバイスは、第１のフィルタに、ＲＦ信号を表すアナログフィードバック信号を提供し得る。第１のフィルタの出力は、アナログフィードバック信号を使用して生成され得る。
【００７７】
[0088]別の例では、第１のフィルタは、第１のターゲット干渉タイプに基づいて１つまたは複数のスイッチを閉じることによって構成される。１つまたは複数のスイッチの各々は、第１のフィルタへのフィードバックのそれぞれのタイプの提供を制御するように構成され得る。
【００７８】
[0089]別の例では、第１のフィルタは、第１のフィルタに、係数から生成されたベースバンドフィードバック信号を提供することによって構成される。
【００７９】
[0090]別の例では、デバイスは、受信機によって受信されたＲＦ信号に影響を及ぼす複数の干渉タイプのうちの１つから第２のターゲット干渉タイプを選択することと、第２のターゲット干渉タイプに基づいて算出された係数を使用して干渉消去回路の第２のフィルタを構成することと、第１のフィルタの出力を使用してＲＦ信号中の干渉を消去する間、第２のフィルタの出力を使用してＲＦ信号中の干渉を消去することとを行い得る。
【００８０】
[0091]別の例では、送信機からベースバンド送信信号が受信され得る。送信機は、ベースバンド送信信号のＲＦバージョンを送信するように適応され得る。デバイスは、ベースバンド送信信号を使用して受信ＲＦ信号のベースバンド表現中の干渉を消去し得る。ベースバンド送信信号はデジタル信号を含み得る。
【００８１】
[0092]いくつかの例では、第１のフィルタは最小２乗平均フィルタを含む。
【００８２】
[0093]図１２は、処理回路１２０２を採用する装置１２００のためのハードウェア実装形態の簡略化された例を示す図である。処理回路は、一般に、マイクロプロセッサ、マイクロコントローラ、デジタル信号プロセッサ、シーケンサおよび状態機械のうちの１つまたは複数を含み得るプロセッサ１２１６を有する。処理回路１２０２は、バス１２２０によって概略的に表されるバスアーキテクチャを用いて実装され得る。バス１２２０は、処理回路１２０２の特定の適用例および全体的な設計制約に応じて、任意の数の相互接続バスおよびブリッジを含み得る。バス１２２０は、プロセッサ１２１６、モジュール１２０４、１２０６、および１２０８、１つまたは複数のアンテナ１２１４を介して通信するように構成可能なトランシーバ回路１２１２、ならびにコンピュータ可読記憶媒体１２１８によって表される、１つまたは複数のプロセッサおよび／またはハードウェアモジュールを含む様々な回路を互いにリンクする。バス１２２０はまた、タイミングソース、周辺機器、電圧調整器、および電力管理回路など、様々な他の回路をリンクし得るが、これらの回路は当技術分野においてよく知られており、したがって、これ以上説明されない。
【００８３】
[0094]プロセッサ１２１６は、コンピュータ可読記憶媒体１２１８に記憶されたソフトウェアの実行を含む一般的な処理を担当する。ソフトウェアは、プロセッサ１２１６によって実行されたとき、処理回路１２０２に、特定の装置のための上記で説明された様々な機能を実行させる。コンピュータ可読記憶媒体１２１８はまた、データレーンおよびクロックレーンとして構成され得る、１つまたは複数のアンテナ１２１４を介して送信されるＲＦ信号中で送信または受信されるデータを含む、ソフトウェアを実行するときにプロセッサ１２１６によって操作されるデータを記憶するために使用され得る。処理回路１２０２は、モジュール１２０４、１２０６、および１２０８のうちの少なくとも１つをさらに含む。モジュール１２０４、１２０６および１２０８は、コンピュータ可読記憶媒体１２１８中に常駐する／記憶された、プロセッサ１２１６中で動作するソフトウェアモジュールであるか、プロセッサ１２１６に結合された１つまたは複数のハードウェアモジュールであるか、またはそれらの何らかの組合せであり得る。モジュール１２０４、１２０６および／または１２０８は、マイクロコントローラ命令、状態機械構成パラメータ、またはそれらの何らかの組合せを含み得る。
【００８４】
[0095]一構成では、ワイヤレス通信のための装置１２００は、装置１２００によって送信された干渉信号を表す基準信号を受信および処理するように構成されたモジュールおよび／または回路１２０４と、消去のための干渉のタイプを選択するように構成されたモジュールおよび／または回路１２０６と、ＲＦ、ベースバンドまたはデジタルフィードバックを使用してフィルタを構成するように構成されたモジュールおよび／または回路１２０８と、ＲＦ信号中の干渉を消去するように構成されたモジュールおよび／または回路１２１０とを含む。
【００８５】
[0096]一例では、装置１２００は、図７〜図９に示されている回路のうちの１つまたは複数において実施され、および／またはそれらを含み得る。装置および回路の組合せは、ＲＦ受信機４２０に結合された干渉消去回路を含み得る。干渉消去回路は、ＲＦ送信機４０２にも結合され得る。干渉消去回路は、ＲＦ受信機４２０によって受信されたＲＦ信号中の基本周波数における干渉を消去するように構成された第１の干渉回路と、ＲＦ信号に関連する帯域外干渉を消去するように構成された第２の干渉回路とを含み得る。いくつかの例では、デジタル消去回路９０６は、干渉消去回路に結合された送信機によって送信された干渉信号のデジタル表現を使用して、ＲＦ信号から導出されたベースバンド信号９０８中の干渉を消去するように構成され得る。干渉消去回路は、切替え、同時および／またはカスケード動作モードにおいて行われ得る異なるタイプの消去を行い得る。
【００８６】
[0097]いくつかの例では、干渉消去回路は、第１のスイッチ７０６がアクティブ化されたとき、第１の干渉回路にアナログフィードバックを提供することによって第１の干渉回路を制御するように構成された第１のスイッチ７０６と、第２のスイッチ７０８がアクティブ化されたとき、デジタル係数を使用して第２の干渉回路をステアリングすることによって第２の干渉回路を制御するように構成された第２のスイッチ７０８とを含み得る。第１のスイッチ７０６が非アクティブ化されたとき、第１の干渉回路の動作が無効にされ得る。第２のスイッチ７０８が非アクティブ化されたとき、第２の干渉回路の動作が無効にされ得る。たとえば、ＲＦ信号の基本周波数中の干渉があらかじめ定義されたしきい値電力レベルを超えるとき、第１のスイッチ７０６がアクティブ化され得、ＲＦ信号の基本周波数中の干渉があらかじめ定義されたしきい値電力レベルを超えないとき、第２のスイッチ７０８がアクティブ化され得る。
【００８７】
[0098]いくつかの例では、干渉消去回路は、ＲＦ信号のベースバンド表現からデジタル係数を生成するように適応されたコントローラを含む。デジタル係数は、第１および／または第２の干渉回路中の１つまたは複数のフィルタをステアリングするために使用され得る。
【００８８】
[0099]いくつかの例では、干渉消去回路は、干渉消去回路に結合された送信機によって送信された干渉信号を表す基準信号を使用して取得されたＲＦ信号の基本周波数中の雑音電力の推定に基づいて、第１のスイッチと第２のスイッチとを動作させるように構成された制御回路を含み得る。たとえば、制御回路は、処理回路および／または制御論理を使用して実装され得る。
【００８９】
[00100]電気通信システムのいくつかの態様が提示された。当業者が容易に諒解するように、本開示全体にわたって説明された様々な態様は、様々なタイプの電気通信システム、ネットワークアーキテクチャおよび通信規格に拡張され得る。
【００９０】
[00101]本開示内で、「例示的」という単語は、「例、事例、または例示の働きをすること」を意味するために使用される。「例示的」として本明細書で説明されるいかなる実装形態または態様も、必ずしも本開示の他の態様よりも好適または有利であると解釈されるべきであるとは限らない。同様に、「態様」という用語は、本開示のすべての態様が、説明される特徴、利点または動作モードを含むことを必要としない。「結合される」という用語は、本明細書では、２つの物体間の直接的または間接的結合を指すために使用される。たとえば、物体Ａが物体Ｂに物理的に接触し、物体Ｂが物体Ｃに接触する場合、物体Ａと物体Ｃとは、それらが互いに直接物理的に接触しない場合でも、やはり互いに結合されていると見なされ得る。たとえば、第１のダイが第２のダイに決して直接物理的に接触しない場合でも、第１のダイはパッケージ中で第２のダイに結合され得る。「回路（circuit）」および「回路（circuitry）」という用語は、広く使用され、接続および構成されたとき、電子回路のタイプに関する限定なしに、本開示で説明された機能の実行を可能にする電気デバイスおよび導体のハードウェア実装形態、ならびにプロセッサによって実行されたとき、本開示で説明された機能の実行を可能にする情報および命令のソフトウェア実装形態の両方を含むものとする。
【００９１】
[00102]図に示されている構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本明細書で開示される新規の特徴から逸脱することなく追加の要素、構成要素、ステップ、および／または機能が追加され得る。様々な図面に示されている装置、デバイス、および／または構成要素は、本明細書で説明された方法、特徴、またはステップのうちの１つまたは複数を実行するように構成され得る。本明細書で説明された新規のアルゴリズムはまた、効率的にソフトウェアで実装されおよび／またはハードウェアに組み込まれ得る。
【００９２】
[00103]開示される方法におけるステップのいかなる特定の順序または階層も、例示的なプロセスの一例であることを理解されたい。設計上の選好に基づいて、本方法におけるステップの特定の順序または階層は並べ替えられ得ることを理解されたい。添付の方法クレームは、様々なステップの要素を例示的な順序で提示しており、方法クレーム中で特に具陳されていない限り、提示された特定の順序または階層に限定されるものではない。
【００９３】
[00104]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書に示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条第６項の規定の下で解釈されるべきではない。
以下に本願の出願当初の特許請求の範囲に記載された発明を付記する。
［Ｃ１］
送信機と受信機とを有するワイヤレス通信デバイスにおいて干渉消去を実行する方法であって、前記方法が、
前記送信機によって送信された干渉信号を表す基準信号を受信することと、
前記基準信号に応答して、前記受信機によって受信された無線周波数（ＲＦ）信号に影響を及ぼす複数の干渉タイプのうちの１つから第１のターゲット干渉タイプを選択することと、
前記第１のターゲット干渉タイプに基づいて算出された係数を使用して干渉消去回路の第１のフィルタを構成することと、
前記第１のフィルタの出力を使用して前記ＲＦ信号中の干渉を消去することと
を備える、方法。
［Ｃ２］
前記第１のターゲット干渉タイプを選択することは、
前記ＲＦ信号の基本周波数中の干渉があらかじめ定義されたしきい値電力レベルを超えるとき、基本周波数干渉を前記ターゲット干渉タイプとして選択することと、
前記ＲＦ信号の前記基本周波数中の干渉が前記あらかじめ定義されたしきい値電力レベルを超えないとき、帯域外干渉を前記ターゲット干渉タイプとして選択することと
を備える、Ｃ１に記載の方法。
［Ｃ３］
前記第１のターゲット干渉タイプが前記ＲＦ信号の基本周波数における干渉を含み、
アナログ領域中で前記係数を算出すること
をさらに備える、Ｃ１に記載の方法。
［Ｃ４］
前記第１のターゲット干渉タイプが帯域外干渉を含み、
デジタル領域中で前記係数を算出すること
をさらに備える、Ｃ１に記載の方法。
［Ｃ５］
前記デジタル領域中で前記係数を算出することが、
前記ＲＦ信号のベースバンド表現から前記係数を算出すること
を含む、Ｃ４に記載の方法。
［Ｃ６］
前記係数をアナログ係数に変換することと、
前記ＲＦ信号中の前記干渉を消去するために、前記アナログ係数を前記干渉消去回路に適用することと
をさらに備える、Ｃ４に記載の方法。
［Ｃ７］
前記第１のターゲット干渉タイプが前記ＲＦ信号の基本周波数における干渉を含み、
前記第１のフィルタに、前記ＲＦ信号を表すアナログフィードバック信号を提供すること
をさらに備え、
ここにおいて、前記第１のフィルタの前記出力が、前記アナログフィードバック信号を使用して生成される、
Ｃ１に記載の方法。
［Ｃ８］
前記第１のフィルタが最小２乗平均フィルタを備える、Ｃ１に記載の方法。
［Ｃ９］
前記第１のフィルタを構成することが、
前記第１のターゲット干渉タイプに基づいて１つまたは複数のスイッチを閉じること
を備え、
ここにおいて、前記１つまたは複数のスイッチの各々が、前記第１のフィルタへのフィードバックのそれぞれのタイプの提供を制御する、
Ｃ１に記載の方法。
［Ｃ１０］
前記１つまたは複数のスイッチのうちの第１のスイッチが、前記第１のフィルタへのフィードバックのソースを選択する、Ｃ９に記載の方法。
［Ｃ１１］
前記１つまたは複数のスイッチのうちの第２のスイッチが閉じられているとき、デジタル係数が前記第１のフィルタを制御する、Ｃ９に記載の方法。
［Ｃ１２］
前記第１のフィルタを構成することが、
前記第１のフィルタに、前記係数から生成されたベースバンドフィードバック信号を提供すること
を備える、Ｃ１に記載の方法。
［Ｃ１３］
前記受信機によって受信された前記ＲＦ信号に影響を及ぼす複数の干渉タイプのうちの１つから第２のターゲット干渉タイプを選択することと、
前記第２のターゲット干渉タイプに基づいて算出された係数を使用して前記干渉消去回路の第２のフィルタを構成することと、
前記第１のフィルタの前記出力を使用して前記ＲＦ信号中の干渉を消去する間、前記第２のフィルタの出力を使用して前記ＲＦ信号中の干渉を消去することと
をさらに備える、Ｃ１に記載の方法。
［Ｃ１４］
前記送信機からベースバンド送信信号を受信することと、
前記ベースバンド送信信号を使用して前記ＲＦ信号のベースバンド表現中の干渉を消去することと
をさらに備える、Ｃ１に記載の方法。
［Ｃ１５］
前記ベースバンド送信信号がデジタル信号を備える、Ｃ１４に記載の方法。
［Ｃ１６］
無線周波数（ＲＦ）受信機に結合された干渉消去回路であって、
前記ＲＦ受信機によって受信されたＲＦ信号中の基本周波数における干渉を消去するように構成された第１の干渉回路と、
前記ＲＦ信号に関連する帯域外干渉を消去するように構成された第２の干渉回路と
を備え、
ここにおいて、前記第１の干渉回路および前記第２の干渉回路のアクティブ化が、前記ＲＦ信号に影響を及ぼす干渉の電力レベルに基づいて制御される、
干渉消去回路。
［Ｃ１７］
第１のスイッチがアクティブ化されたとき、前記第１の干渉回路にアナログフィードバックを提供することによって前記第１の干渉回路を制御するように構成された前記第１のスイッチと、ここにおいて、前記第１のスイッチが非アクティブ化されたとき、前記第１の干渉回路の動作が無効にされる、
第２のスイッチがアクティブ化されたとき、デジタル係数を使用して前記第２の干渉回路をステアリングすることによって前記第２の干渉回路を制御するように構成された前記第２のスイッチと、ここにおいて、前記第２のスイッチが非アクティブ化されたとき、前記第２の干渉回路の動作が無効にされる、
をさらに備える、Ｃ１６に記載の干渉消去回路。
［Ｃ１８］
前記ＲＦ信号の前記基本周波数中の干渉があらかじめ定義されたしきい値電力レベルを超えるとき、前記第１のスイッチがアクティブ化され、
前記ＲＦ信号の前記基本周波数中の干渉が前記あらかじめ定義されたしきい値電力レベルを超えないとき、前記第２のスイッチがアクティブ化される、
Ｃ１７に記載の干渉消去回路。
［Ｃ１９］
前記第１のスイッチがアクティブ化されたとき、前記受信機によって提供されたアナログフィードバック信号が前記第１の干渉回路に提供される、Ｃ１７に記載の干渉消去回路。
［Ｃ２０］
前記ＲＦ信号のベースバンド表現からデジタル係数を生成するように適応されたコントローラ
をさらに備え、ここにおいて、前記第２のスイッチがアクティブ化されたとき、前記デジタル係数が前記第２の干渉回路をステアリングする、
Ｃ１７に記載の干渉消去回路。
［Ｃ２１］
前記干渉消去回路に結合された送信機によって送信された干渉信号を表す基準信号を使用して取得された前記ＲＦ信号の前記基本周波数中の雑音電力の推定に基づいて、前記第１のスイッチと前記第２のスイッチとを動作させるように構成された制御回路
をさらに備える、Ｃ１７に記載の干渉消去回路。
［Ｃ２２］
前記干渉消去回路に結合された送信機によって送信された干渉信号を表す基準信号を使用して取得された前記ＲＦ信号の前記基本周波数中の雑音電力の推定に基づいて、前記第１のスイッチと前記第２のスイッチとを動作させるように構成された制御回路
をさらに備える、Ｃ１７に記載の干渉消去回路。
［Ｃ２３］
前記ＲＦ信号のベースバンド表現からデジタル係数を生成するように適応されたコントローラ
をさらに備え、ここにおいて、前記第２のスイッチがアクティブ化されたとき、前記デジタル係数が前記第２の干渉回路をステアリングする、
Ｃ１７に記載の干渉消去回路。
［Ｃ２４］
前記干渉消去回路に結合された送信機によって送信された干渉信号のデジタル表現を使用して、前記ＲＦ信号から導出されたベースバンド信号中の干渉を消去するように構成されたデジタル消去回路
をさらに備える、Ｃ１６に記載の干渉消去回路。
［Ｃ２５］
前記ベースバンド信号が、前記第１の干渉回路または前記第２の干渉回路によって処理された信号を備える、Ｃ２４に記載の干渉消去回路。
［Ｃ２６］
無線周波数（ＲＦ）受信機に結合された干渉消去回路であって、
アナログフィードバックを使用して、前記ＲＦ受信機によって受信されたＲＦ信号中の基本周波数における干渉を消去するように構成された第１の干渉回路と、
デジタルフィードバックを使用して、前記ＲＦ信号に関連する帯域外干渉を消去するように構成された第２の干渉回路と
を備える、干渉消去回路。
［Ｃ２７］
前記アナログフィードバックが、前記受信機によって提供されたフィードバック信号を備える、Ｃ２６に記載の干渉消去回路。
［Ｃ２８］
前記ＲＦ信号のベースバンド表現から第１のデジタル係数と第２のデジタル係数とを生成するように適応されたコントローラ
をさらに備え、
ここにおいて、前記第１のデジタル係数が前記第１の干渉回路中のフィルタをステアリングし、
ここにおいて、前記第２のデジタル係数が前記第２の干渉回路中のフィルタをステアリングする、
Ｃ２６に記載の干渉消去回路。
［Ｃ２９］
前記干渉消去回路に結合された送信機によって送信された干渉信号を表す基準信号を使用して取得された前記ＲＦ信号の前記基本周波数中の雑音電力の推定に基づいて、前記第１の干渉回路または前記第２の干渉回路を制御するように構成された制御回路
をさらに備える、Ｃ２６に記載の干渉消去回路。
［Ｃ３０］
前記干渉消去回路に結合された送信機によって送信された干渉信号のデジタル表現を使用して、前記ＲＦ信号から導出されたベースバンド信号中の干渉を消去するように構成されたデジタル消去回路
をさらに備える、Ｃ２６に記載の干渉消去回路。
【図１】
0006629334.tif 000002
【図２】
0006629334.tif 000003
【図３】
0006629334.tif 000004
【図４】
0006629334.tif 000005
【図５】
0006629334.tif 000006
【図６】
0006629334.tif 000007
【図７】
0006629334.tif 000008
【図８】
0006629334.tif 000009
【図９】
0006629334.tif 000010
【図１０】
0006629334.tif 000011
【図１１】
0006629334.tif 000012
【図１２】
0006629334.tif 000013